(57)【特許請求の範囲】
【請求項１】
天井埋設型または天井吊下型の空気調和機（１）であって、
内部に空気を吸い込むための吸入口（２０）と外部に空気を吹き出すための吹出口（２１）とを有するケーシング（１１）と、
前記ケーシング（１１）の内部において前記吸込口（２０）と前記吹出口（２１）との間に配置された遠心送風機（１７）と、
前記遠心送風機（１７）と前記吹出口（２１）との間において前記遠心送風機（１７）を囲むように前記ケーシング（１１）の内部に設置されたクロスフィン型の熱交換器（２７，４７）とを備え、
前記熱交換器（２７，４７）は、前記遠心送風機（１７）の外周部から離れるように形成された複数の凸部（２９，４９）と、前記遠心送風機（１７）の外周部に近づくように形成された複数の凹部（２８，４８）とを有している、
空気調和機。
【請求項２】
前記凹部（２８，４８）は、少なくとも前記吹出口（２１）に対応する位置に配置されている、請求項１に記載の空気調和機。
【請求項３】
前記熱交換器（２７，４７）は、一つのクロスフィン型の熱交換器ユニット（２７ａ）を折り曲げ加工してなる、請求項１又は２に記載の空気調和機。
【請求項４】
電気品が収納された電気品箱（１６）は、前記熱交換器（２７，４７）の凸部（２９，４９）と前記遠心送風機（１７）の外周部とに挟まれた位置に配置されている、請求項１〜３のいずれかに記載の空気調和機。
【発明の詳細な説明】
【０００１】
【発明の属する技術分野】
本発明は、空気調和機、特に、天井埋設型または天井吊下型の空気調和機に関する。
【０００２】
【従来の技術】
空気調和機は、主に、圧縮機や熱交換器等を有する室外機と、遠心送風機や熱交換器を有する室内機とから構成されている。室内機としては、壁掛け型、天井埋設型、天井吊下型等のように様々な型の室内機が提供されている。
【０００３】
天井埋設型または天井吊下型の室内機は、主に、底面に吸込口及び吹出口を有するケーシングと、ケーシング内部に配置された遠心送風機と、遠心送風機を囲むように配置された熱交換器とを備えている。このような室内機では、遠心送風機により、吸込口から室内の空気がケーシング内部に取り込まれ、取り込まれた空気は遠心送風機の外周に送風される。そして、この遠心送風機から送風された空気は、遠心送風機を囲むように配置された熱交換器において熱交換され、その後、吹出口から室内に供給される。
【０００４】
従来、室内機のケーシングに配置された熱交換器には、ケーシングを平面視した際に、遠心送風機を囲むように略矩形状又は略円形状に曲げ加工されて配置されたクロスフィン型の熱交換器が使用されることが多い。
【０００５】
【発明が解決しようとする課題】
このような熱交換器においては、熱交換器の有効長を増加して空気調和機の熱交換能力を向上をすることが望まれている。
【０００６】
熱交換器の有効長を増加するには、室内機のケーシングサイズを大きくすればよい。しかし、実用上、従来のケーシングサイズよりも大きくすることは望ましくなく、また、コストアップの要因にもなる。
【０００７】
本発明の課題は、クロスフィン型の熱交換器を用いる天井埋設型または天井吊下型の空気調和機において、室内機のケーシングサイズを増加することなく、熱交換器の有効長を増加することにある。
【０００８】
【課題を解決するための手段】
請求項１に記載の空気調和機は、天井埋設型または天井吊下型の空気調和機であって、内部に空気を吸い込むための吸入口と外部に空気を吹き出すための吹出口とを有するケーシングと、ケーシングの内部において吸込口と吹出口との間に配置された遠心送風機と、遠心送風機と吹出口との間において遠心送風機を囲むようにケーシングの内部に設置されたクロスフィン型の熱交換器とを備えている。そして、熱交換器は、遠心送風機の外周部から離れるように形成された複数の凸部と、遠心送風機の外周部に近づくように形成された複数の凹部とを有している。
【０００９】
この空気調和機では、遠心送風機により、吸込口から室内の空気がケーシング内部に取り込まれ、取り込まれた空気は遠心送風機の外周に送風される。そして、この遠心送風機から送風された空気は、遠心送風機を囲むように配置されたクロスフィン型の熱交換器において熱交換され、その後、吹出口から吹き出されて室内に供給される。ここに設置されているクロスフィン型の熱交換器は、遠心送風機の外周部から離れるように形成された複数の凸部と遠心送風機の外周部に近づくように形成された複数の凹部とを有している。このため、従来の同じケーシングサイズを有する空気調和機に設置された熱交換器に比べて、熱交換器の有効長が増加している。これにより、ケーシングサイズを大きくすることなく、熱交換器の有効長を増加できる。
【００１０】
請求項２の空気調和機は、請求項１において、凹部は少なくとも吹出口に対応する位置に配置されている。
この空気調和機では、熱交換器の凹部が少なくとも吹出口に対応する位置に設けられているため、熱交換器が吹出口に接近しすぎて吹出口を狭めてしまうことがない。つまり、吹出口の開口面積を確保して、送風性能を悪化させることなく、熱交換器の有効長を増加することができる。
【００１１】
請求項３の空気調和機は、請求項１又は２において、熱交換器は一つのクロスフィン型の熱交換器ユニットを折り曲げ加工してなるものである。
この空気調和機では、熱交換器が一つのクロスフィン型の熱交換器ユニットから構成されている。すなわち、熱交換器が複数の熱交換器ユニットから構成された分割構造ではなく、一つのクロスフィン型の熱交換器ユニットに複数の凹部及び複数の凸部を折り曲げ加工してなるものである。これにより、熱交換器の冷媒配管を分岐する必要がなく、構造を簡単にできる。
【００１２】
請求項４の空気調和機は、請求項１〜３のいずれかにおいて、電気品が収納された電気品箱は熱交換器の凸部と遠心送風機の外周部とに挟まれた位置に配置されている。
【００１３】
この空気調和機では、熱交換器の凸部と遠心送風機の外周部との間のスペースが、他の部分よりも大きくなっている。これにより、空気調和機の運転に必要な電気品をまとめて電気品箱に収納して設置することができる。
【００１４】
【発明の実施の形態】
［第１実施形態］
（１）空気調和機の構成
本発明の一実施形態にかかる空気調和機の室内機１の外観斜視図（天井は省略）を図１に示す。室内機１は、天井埋設型であり、天井に埋設されるケーシング１１を有している。この室内機１は、室内に設置されており、室内の空気を吸込口２０からケーシング１１の内部に取り込み、熱交換等の空気調和された後、空気調和された空気を吹出口２１からケーシング１１の外部に吹き出して、室内に供給するものである。
【００１５】
次にケーシング１１について説明する。
ケーシング１１は、その内部に室内機１の構成部品を保持するための部材である。ケーシング１１は、略直方体形状の外形を有しており、その底部に略矩形形状の化粧パネル１１ａを有している。ケーシング１１の底部の中央には吸込口２０が形成され、吸込口２０の外周側には矩形の各辺に対応するように４つの吹出口２１が形成されている。
【００１６】
図２は、室内機１の側面断面図であり、図３は、室内機１の内部を示す下面図である。ケーシング１１の内部には、吸込口２０に対応してベルマウス１８が配置され、その上方には、吸込口２０から空気を吸い込んで側方に空気を吹き出すための遠心送風機１７が配置されている。この遠心送風機１７と吹出口２１との間には、遠心送風機１７から吹き出された空気を熱交換するために、遠心送風機１７を囲むようにクロスフィン型の熱交換器２７が配置されている。
【００１７】
次に熱交換器２７について説明する。
熱交換器２７は、図３に示すように、一つのクロスフィン型の熱交換器ユニット２７ａを曲げ加工してなるものであり、遠心送風機１７の回転方向（以下、回転方向Ｒとする）に沿って、遠心送風機１７の外周部に近づくように形成された凹部２８と、遠心送風機１７の外周部から離れるように形成された凸部２９とを交互に各２つづつ有している。そして、熱交換器２７は、冷媒配管接続部２６において室外機（図示せず）の冷媒配管と連結されている。
【００１８】
ここで、２つの凹部２８は、それぞれ吹出口２１に対応する位置に配置され、ケーシング１１を平面視した際に、吹出口２１を塞ぐことがないように配置されている。また、各凸部２９は、２つの吹出口２１の間の位置、すなわち、ケーシング１１の矩形の角部１１ｂの壁面近くまで突出するように配置されている。
【００１９】
そして、室内機１（空気調和機）の運転に必要な電気品をまとめて収納した電気品箱１６は、熱交換器２７の凸部２９の一つ（本実施形態においては、図３の冷媒配管接続部２６の回転方向Ｒ側）と遠心送風機１７の外周部とによって形成されるスペースに配置されている。
【００２０】
また、ケーシング１１の矩形の角部１１ｂの一つ（本実施形態においては、図３の冷媒配管接続部２６の回転方向Ｒの反対側）には、凸部２９が形成されず、熱交換によって生じる凝縮水を排出するためのドレンポンプ１５が配置されている。
【００２１】
（２）空気調和機の動作
室内機１の動作について説明する。
遠心送風機１７を回転させると、図２の矢印Ｗに示されるように、室内機１の内部に吸込口２０から室内の空気が吸い込まれる。吸い込まれた空気は、図２の矢印Ｘに示されるように、遠心送風機１７の外周側に吹き出される。遠心送風機１７の外周側に吹き出された空気は、矢印Ｙに示されるように、遠心送風機１７の外周側に配置された熱交換器２７によって熱交換され、ケーシング１１の底部に設けられた吹出口２１から室内に吹き出される。
【００２２】
（３）空気調和機の特徴
以上の説明に述べたように、本実施形態の空気調和機の特徴には、以下のようなものがある。
【００２３】
▲１▼凹部及び凸部による熱交換器の有効長の増加
図６に従来例の室内機１の内部を示す下面図を示す。従来の熱交換器６７は、矩形のケーシング１１の角部１１ｂに沿って略矩形状に曲げ加工された構造を有している。
【００２４】
一方、本実施形態では、図３に示すように、遠心送風機の外周部から離れるように形成された複数の凸部２９と遠心送風機１７の外周部に近づくように形成された複数の凹部２８とを有している。第１実施形態の熱交換器の有効長と従来例の熱交換器の有効長との比較のため、図３に、同じケーシングサイズの室内機１において第１実施形態の熱交換器２７の下面図に従来例の熱交換器６７の下面図を重ねて示す。これによると、第１実施形態の熱交換器２７は、従来例の熱交換器６７に比べて、凹部２８が遠心送風機１７に接近し、凸部２９が遠心送風機１７から遠ざかるように配置されている。これにより、本実施形態の熱交換器２７は、従来の同じケーシングサイズを有する室内機に比べて、熱交換器の有効長が増加している。
【００２５】
また、複数の凹部２８は、複数の吹出口２１に対応する位置に設置されているため、複数の吹出口２１の開口面積を確保しながら、熱交換器２７の有効長を増加させている。
【００２６】
さらに、凹部２８及び凸部２９は、複数の熱交換器ユニットからなる分割構造ではなく、一つのクロスフィン型の熱交換器ユニット２７ａを曲げ加工してなるものであるため、冷媒配管接続部２６から熱交換器２７への冷媒配管の分岐を行う必要がなく、構造が簡単である。
【００２７】
▲２▼凹部及び凸部によるケーシング内のスペース性の向上
本実施形態では、熱交換器２７の凹部２８を吹出口２１に対応する位置に配置し、凸部２９をケーシング１１の角部に配置しているので、凸部２９と遠心送風機１７の外周部との間のスペースが他の部分よりも大きくなっている。これにより、空気調和機の運転に必要な電気品をまとめて電気品箱１６に収納して配置できる。
【００２８】
［第２実施形態］
前記実施形態では、凹部２８及び凸部２９を冷媒配管接続部２６から遠心送風機１７の回転方向Ｒに沿って、ケーシング１１の矩形の二辺に対応して形成されているが、さらに、他の二辺にも形成してもよい。図４に、ケーシング１１の矩形の各辺に凹部４８及び凸部４９が形成された熱交換器４７を示す。本実施形態において、ドレンポンプ１５は、熱交換器４７の凸部４９の一つ（本実施形態においては、図４の冷媒配管接続部４６の回転方向Ｒの反対側）と遠心送風機１７の外周部とによって形成されるスペースに配置されている。
【００２９】
本実施形態においては、さらに熱交換器の有効長を増加させることができる。
［第３実施形態］
第２実施形態において、ドレンポンプ１５は冷媒配管接続部４６の回転方向Ｒの反対側の凸部４９と遠心送風機１７の外周部とによって形成されるスペースに配置されているが、本実施形態では、図５に示すように、冷媒配管接続部４６と遠心送風機１７の外周部との間のスペースに配置されている。
【００３０】
本実施形態においては、ドレンポンプ１５から排水されるドレン水の配管が冷媒配管等と同じ位置に配置できるため、室内機設置時の配管施工が容易になる。
［他の実施形態］
前記実施形態では、天井埋設型の空気調和機に本発明を適用しているが、天井吊下型の空気調和機に対しても本発明を適用することができる。
【００３１】
【発明の効果】
以上の説明に述べたように、本発明によれば、以下の効果が得られる。
請求項１にかかる発明では、遠心送風機の外周部から離れるように形成された複数の凸部と遠心送風機の外周部に近づくように形成された複数の凹部とを有しているため、ケーシングサイズを大きくすることなく、熱交換器の有効長を増加できる。
【００３２】
請求項２にかかる発明では、熱交換器が有する複数の凹部が少なくとも吹出口に対応する位置に設けられているため、熱交換器が吹出口に接近しすぎて吹出口を狭めてしまうことがない。つまり、吹出口の開口面積を確保して、送風性能を悪化させることなく、熱交換器の有効長を増加することができる。
【００３３】
請求項３にかかる発明では、熱交換器は一つのクロスフィン型の熱交換器ユニットから構成されている。すなわち、熱交換器が複数の熱交換器ユニットから構成された分割構造ではなく、一つのクロスフィン型の熱交換器ユニットに複数の凹部及び複数の凸部を折り曲げ加工してなるものである。これにより、熱交換器の冷媒配管を分岐する必要がなく、構造を簡単にできる。
【００３４】
請求項４にかかる発明では、熱交換器の凸部と遠心送風機の外周部との間のスペースが、他の部分よりも大きくなっている。これにより、空気調和機の運転に必要な電気品をまとめて電気品箱に収納して設置することができる。
【図面の簡単な説明】
【図１】第１実施形態の空気調和機の室内機の外観斜視図。
【図２】第１実施形態の空気調和機の室内機の側面断面図。
【図３】第１実施形態の空気調和機の室内機の内部を示す下面図（従来例の熱交換器を重ねて図示）。
【図４】第２実施形態の空気調和機の室内機の内部を示す下面図。
【図５】第３実施形態の空気調和機の内部を示す下面図。
【図６】従来例の空気調和機の室内機の内部を示す下面図。
【符号の説明】
１                  室内機（空気調和機）
１１                ケーシング
１１ａ              化粧パネル
１１ｂ              角部
１５                ドレンポンプ
１６                電気品箱
１７                遠心送風機
１８                ベルマウス
２０                吸込口
２１                吹出口
２６，４６          冷媒配管接続部
２７，４７，６７    熱交換器
２７ａ              熱交換器ユニット
２８，４８          凹部
２９，４９          凸部
【図１】
0003651417.tif 000002
【図２】
0003651417.tif 000003
【図３】
0003651417.tif 000004
【図４】
0003651417.tif 000005
【図５】
0003651417.tif 000006
【図６】
0003651417.tif 000007